(57)【要約】【課題】支柱に対するアームの段換え作業が簡単に行え、重量物の支持に耐える強度を有する長尺物の保管ラックを提供する。【解決手段】複数の支柱１１の前面にアーム１２を複数段設けた長尺物の保管ラックにおいて、前記支柱１１に段換用の孔１３を上下に所定の間隔で多数設け、前記アーム１２の後端に支柱１１の側面を挟み込むように外嵌する二又部１５を設け、前記支柱１１に外嵌した二又部１５を、所要段換用の孔１３に挿通する抜き差し可能の位置決め用ピン１６で支柱１１に着脱自在とし、この二又部１５の後端側に支柱１１の後面に当接する固定ピン１７を抜き差し可能に設ける。【選択図】図１
0003122118.tif 000002
【実用新案登録請求の範囲】
【請求項１】
複数の支柱をつなぎ材で所定の間隔に結合して起立配置し、各支柱の前面に前方に向けて突出するアームを複数段設けた長尺物の保管ラックにおいて、前記支柱に側面方向に貫通する段換用の孔を上下に所定の間隔で多数設け、上記アームの後端に、アームの後端から後方に向けて突出し、支柱に対してこの支柱の側面を挟み込むように外嵌する二又部を設け、前記支柱に外嵌した二又部を、所要段換用の孔に挿通する抜き差し可能の位置決め用ピンで支柱に着脱自在とし、この二又部の後端側に支柱の後面に当接するよう設けた固定ピンを抜き差し可能とした長尺物の保管ラック。
【請求項２】
上記アームの後端に、上記二又部を支柱に外嵌したアームの水平状態で支柱の前面に当接する当接部を設けた請求項１に記載の長尺物の保管ラック。
【請求項３】
上記二又部が、アームの後端からアームの長さ方向に対して後端側が高くなる傾斜状に突設され、上記当接部がアームの水平状態で支柱の前面に当接するよう位置決め用ピンよりも下方の位置に設けられ、上記固定ピンがアームの水平状態で支柱の後面に当接するよう位置決め用ピンよりも上方の位置に設けられている請求項１又は２に記載の長尺物の保管ラック。
【請求項４】
上記二又部の後端部に固定ピンを抜き差し可能に挿通するよう設けた孔が、アームの水平状態で、上下方向に長くその下端側が支柱に接近する傾斜状の長孔に形成されている請求項１乃至３の何れかに記載の長尺物の保管ラック。
【考案の詳細な説明】
【技術分野】
【０００１】
この考案は、長尺の重量物商品を販売のために陳列したり収納するために用いる長尺物の保管ラックに関する。
【背景技術】
【０００２】
一般的に、長尺の重量物商品を販売のために陳列したり収納するために用いられている長尺物の保管ラックａは、図５に示すように、Ｈ型鋼を用いた複数の支柱１を、上下の水平つなぎ材２と、上下の水平つなぎ材２間で緊張させた振れ止め部材３で所定の間隔に結合して起立配置し、各支柱１の前面に前方に向けて突出する水平のアーム４を複数段設けた構造を有し、長尺の重量物商品ｘを同一高さのアーム４上に載置することにより保管するようになっている。
【０００３】
ところで、上記のような長尺物の保管ラックａは、重量物を載せるため、支柱１に対するアーム４の十分な固定強度が必要になると共に、収納せんとする長尺物のサイズや量により、アーム４は上下に段換えができるように、支柱１に対して着脱自在となる取付け構造が要求される。
【０００４】
従来、支柱１に対するアーム４の取付け構造は、支柱１の前フランジ１ａに前後に貫通する段換用の孔５を、複数で一組となるよう上下に所定の間隔で多数設け、上記アーム４の後端に支柱１の前フランジ１ａの前面に重ねるプレート６を固定し、このプレート６に上下複数の段換用の孔５に適合する配置で取付け孔を設け、一致させた段換用の孔５と取付け孔にボルト７を挿通してこれにナットを螺締することで、支柱１の前面にアーム４を水平に固定するようにし、ボルト７とナットを緩めて外すことで上記段換用の孔５の上下間隔ごとにアーム４の段換えが行えるようになっている。
【考案の開示】
【考案が解決しようとする課題】
【０００５】
しかし、アーム４は重量物を支持するために強度のあるＨ型鋼を用いて形成されているため、それ単体でも重量的に重く、ボルト７とナットを用いた取付け構造では、段換え時にボルト７とナットを外して重いアーム４を動かすのに体力が必要になり、しかも、段換用の孔５と取付け孔の位置合わせ作業が行いにくいため、段換えが簡単に行えないという問題がある。
【０００６】
そこで、この考案の課題は、上記した問題点を解決するため、重量物の支持に耐えるアームの支柱への取付け強度を有すると共に、支柱に対するアームの段換え作業が簡単に行え、更に、不意にアームが持ち上がった場合でも破損の発生を防ぐことができる長尺物の保管ラックを提供することにある。
【課題を解決するための手段】
【０００７】
上記の課題を解決するため、この考案は、複数の支柱をつなぎ材で所定の間隔に結合して起立配置し、各支柱の前面に前方に向けて突出するアームを複数段設けた長尺物の保管ラックにおいて、前記支柱に側面方向に貫通する段換用の孔を上下に所定の間隔で多数設け、上記アームの後端に、アームの後端から後方に向けて突出し、支柱に対してこの支柱の側面を挟み込むように外嵌する二又部を設け、前記支柱に外嵌した二又部を、所要段換用の孔に挿通する抜き差し可能の位置決め用ピンで支柱に着脱自在とし、この二又部の後端側に支柱の後面に当接するよう設けた固定ピンを抜き差し可能とした構成を採用したものである。
【０００８】
上記アームの後端に、上記二又部を支柱に外嵌したアームの水平状態で支柱の前面に当接する当接部を設けたり、上記二又部が、アームの後端からアームの長さ方向に対して後端側が高くなる傾斜状に突設され、上記当接部がアームの水平状態で支柱の前面に当接するよう位置決め用ピンよりも下方の位置に設けられ、上記固定ピンがアームの水平状態で支柱の後面に当接するよう位置決め用ピンよりも上方の位置に設けられている構造とするのが好ましい。
【０００９】
また、上記二又部の後端部に固定ピンを抜き差し可能に挿通するよう設けた孔が、アームの水平状態で、上下方向に長くその下端側が支柱に接近する傾斜状の長孔に形成されている構造とすることができる。
【００１０】
ここで、上記支柱とアームはＨ型鋼や角パイプを用い、支柱にはその側面方向に貫通する段換用の孔が上下に一定間隔の配置で設けられ、アームの後端に支柱の前面に当接するよう設けた当接部は、アームの後端面から下方に突出する垂直のプレートによって形成されている。
【００１１】
また、二又部はアームの両側面に溶接した二枚の金属板で形成され、二枚の金属板は支柱に両側から嵌る対向間隔を有し、位置決め用ピンを抜き差しする孔がアームの上面よりも高い位置に設けられている。
【００１２】
従って、アームの水平状態において、支柱の前面に当接する当接部の上端は位置決め用ピンの下方に位置し、固定ピンは位置決め用ピンよりも上方に位置するので、アームに荷重が加わると、位置決め用ピンを支点にして、当接部と固定ピンで支柱を前後から挟むことで荷重の支持が得られ、固定ピンを抜き差し可能に挿通する孔が下端側が支柱に接近する傾斜状の長孔になっているので、固定ピンが重力で下に移動するほど支柱を締めこむことで荷重支持強度が増大し、また、位置決め用ピンを支点にアームの先端側を持ち上げると、固定ピンは支柱から離れることになり、固定ピンの抜き差しが簡単に行えることになる。
【考案の効果】
【００１３】
この考案によると、位置決め用ピンを支点にアームの先端側を持ち上げると、固定ピンは支柱から離れるのでその抜き差しが無負荷で行え、アームの段換えが実質的に位置決め用ピンの抜き差しだけでよいので、支柱に対するアームの段換え作業が簡単に行える。
【００１４】
また、アームに荷重が加わると、位置決め用ピンを支点にして、当接部と固定ピンで支柱を前後から挟み、しかも、固定ピンが重力で下に移動するほど支柱を締めこむことになるので、支柱に対してアームの取付け強度が優れ、重量物の支持に耐える強度を得ることができる。
【００１５】
更に、アームは位置決め用ピンを支点にして先端側が上方に回動可能となるので、長尺物を支持した状態で、長尺物の取出し作業時に不意にアームが持ち上がった場合でも、アームは上方に逃げることで、破損の発生を防ぐことができる。
【考案を実施するための最良の形態】
【００１６】
以下、この考案の実施の形態を図示例に基づいて説明する。
【００１７】
図１のように、長尺物の保管ラックＡは、複数の支柱１１を図５と同様上下の水平つなぎ材と、上下の水平つなぎ材間でクロス状に緊張させた振れ止め部材で所定の間隔に結合して起立配置し、各支柱１１の前面に前方に向けて水平に突出するアーム１２を複数段設け、長尺の重量物商品ｘを同一高さのアーム１２上に載置することにより保管するようになっている。
【００１８】
上記支柱１１は図示の場合、Ｈ型鋼を用い、この支柱１１はフランジ１１ａが前後に位置する配置となり、そのウエブ１１ｂに、側面方向に貫通する段換用の孔１３が上下に一定の間隔で多数を直線状に並べて設けられている。
【００１９】
また、上記アーム１２は、図示の場合、支柱１１よりも少し幅の狭いＨ型鋼を用い、図２のように、その後端に、支柱１１の前面に当接させる垂直の当接プレート１４と、アーム１２の後端から後方に向けて突出し、支柱１１に対してこの支柱１１の側面を挟み込むように前面側から外嵌する二又部１５が設けられ、前記支柱１１に外嵌した二又部１５を、所要段換用の孔１３に挿通する抜き差し可能の位置決め用ピン１６で支柱１１に着脱自在とし、この二又部１５の後端側に支柱１１の後面に当接する固定ピン１７が抜き差し可能に設けられている。
【００２０】
なお、上記支柱１１とアーム１２は、角パイプを用いて形成するようにしてもよく、角パイプを用いた支柱の場合、段換用の孔１３は両側の側壁に対向する配置で設けるようにする。
【００２１】
上記した各アーム１２の先端には、上面にストッパー１８を抜き差し可能や起伏可能に立設し、支持した長尺の重量物商品ｘが前方へ脱落することのないようにすると共に、最下位のアーム１２ａだけは、支柱１１に対して後端を溶接で直角に固定し、長尺物の保管ラックＡを支柱１１が垂直に起立する設置状態を保持するための設置用ベース部材の役目を兼ねている。
【００２２】
上記当接プレート１４は、アーム１２の後端面から下方に突出する垂直の板によって形成され、二又部１５は、アーム１２の後方に突出するようアーム１２の両側面に溶接した二枚の金属板１５ａ、１５ａで形成され、二枚の金属板１５ａ、１５ａは支柱１１に両側から嵌る対向間隔を有し、アーム１２の後端からアーム１２の長さ方向に対して後端側が高くなる傾斜状に突設されている。
【００２３】
この二又部１５の金属板１５ａ、１５ａには、途中の位置に、二又部１５を支柱１１に外嵌して当接プレート１４を支柱１１の前面に当接させた状態で、所要の段換用の孔１３と同軸心となり、この段換用の孔１３に対して位置決め用ピン１６を抜き差し可能に挿通するための孔１９と、後端部に、帯板状の固定ピン１７を抜き差し可能に挿通する孔２０が設けられ、固定ピン１７の孔２０は、アーム１２の水平状態で、上下方向に長くその下端側が支柱１１に接近する傾斜状の長孔に形成されている。
【００２４】
ここで、上記二又部１５は、アーム１２の後端からアーム１２の長さ方向に対して後端側が高くなる傾斜状に突設し、位置決め用ピン１６の孔１９はアーム１２の上面よりも少し高い位置に設けられ、上記当接プレート１４の上端がアーム１２の水平状態で位置決め用ピン１６よりも下方の位置にあり、また、上記固定ピン１７の孔２０はアーム１２の水平状態で固定ピン１７が支柱１１の後面に当接するよう位置決め用ピン１６よりも上方の位置に設けられている。
【００２５】
従って、アーム１２の水平状態において、支柱１１の前面に当接する当接プレート１４の上端は位置決め用ピン１６の下方に位置し、固定ピン１７は位置決め用ピン１６よりも上方に位置するので、アーム１２に荷重が加わると、位置決め用ピン１６を支点にして、当接プレート１４と固定ピン１７で支柱１１を前後から挟むことで荷重の支持が得られ、固定ピン１７を抜き差し可能に挿通する孔２０は下端側が支柱１１に接近する傾斜状の長孔になっているので、固定ピン１７が重力で下に移動するほど支柱１１を締めこむことで荷重支持強度が増大し、また、位置決め用ピン１６を支点にアーム１２の先端側を持ち上げて回動させると、固定ピン１７は支柱１１から離れることになり、固定ピン１７の抜き差しが簡単に行えることになる。
【００２６】
この考案の長尺物の保管ラックは、上記のような構成であり、起立配置した保管ラックＡの各支柱１１の前面にアーム１２の二又部１５を嵌挿し、二又部１５の孔１９から所定高さ位置の段換用の孔１３に位置決め用ピン１６を挿通することによってアーム１２を支柱１１に取付け、このようにして複数のアーム１２を支柱１１に上下多段の配置で取付け、同一高さのアーム上に長尺の重量物商品ｘを載置する。
【００２７】
上記支柱１１に対するアーム１２の取付けは、支柱１１に前面側からアーム１２の二又部１５を外嵌し、当接プレート１４を支柱１１の前面に当接させた状態で、二又部１５の孔１９から所要段換用の孔１３に位置決め用ピン１６を挿通し、更に、二又部１５の後端側に設けた孔２０に固定ピン１７を挿通し、この固定ピン１７を支柱１１の後面に当接させる。
【００２８】
このような支柱１１に対するアーム１２の取付け状態で、アーム１２に荷重が加わると、位置決め用ピン１６による支持に加え、位置決め用ピン１６を支点にして、当接プレート１４と固定ピン１７で支柱１１を前後から挟み、しかも、傾斜する孔２０によって固定ピン１７が重力で下に移動するほど支柱１１を締めこむことになるので、支柱１１に対してアーム１２の取付け強度が向上し、重量物の支持に耐える強度を得ることができる。
【００２９】
また、アーム１２の段換えをする場合は、長尺の重量物商品を取り除いた後、アーム１２の先端側を少し押し上げ、位置決め用ピン１６を支点にして上方に回動可能させると、図４（ｂ）のように、当接プレート１４と固定ピン１７が支柱１１から離れ、固定ピン１７を無負荷の状態で抜き取ることができ、この後、アーム１２を保持したまま位置決め用ピン１６を段換用の孔１３から抜き取り、アーム１２を支柱１１に沿って上方又は下方に、所望高さ位置の段換用の孔１３の位置まで移動させ、この段換用の孔１３に二又部１５の孔１９から位置決め用ピン１６を挿通し、二又部１５の後端側に設けた孔２０に固定ピン１７を挿通すれば、アーム１２の段換えが行えることになる。
【００３０】
このように、アーム１２の段換えが実質的に位置決め用ピン１６の抜き差しだけでよいので、支柱１１に対するアーム１２の段換え作業が簡単に行える。
【００３１】
また、支柱１１に取付けたアーム１２は、長尺物を支持した状態で、長尺物の取出し作業時に不意にアーム１２が持ち上がった場合でも、アーム１２は支柱１１に対して上方に逃げることで、破損の発生を防ぐことができる。
【図面の簡単な説明】
【００３２】
【図１】長尺物の保管ラックを示す全体の側面図
【図２】長尺物の保管ラックの要部を示す分解斜視図
【図３】長尺物の保管ラックの支柱へのアーム取付け部分を示す横断平面図
【図４】（ａ）は長尺物の保管ラックの支柱へのアーム取付け部分を示す拡大した縦断側面図、（ｂ）は同じくアームの先端側を持ち上げたときの取付け部分を示す拡大した縦断側面図
【図５】従来の長尺物の保管ラックを示す全体の斜視図
【符号の説明】
【００３３】
１１      支柱
１２      アーム
１３      段換用の孔
１４      当接プレート
１５      二又部
１６      位置決め用ピン
１７      固定ピン
１８      ストッパー
１９      孔
２０      孔
【図１】
0003122118.tif 000003
【図２】
0003122118.tif 000004
【図３】
0003122118.tif 000005
【図４】
0003122118.tif 000006
【図５】
0003122118.tif 000007